(57)【要約】【課題】携帯電話機が移動する場合に、通信を継続することができる通信リソース予約システムを提供する。【解決手段】ナビゲーション情報管理部３２が、携帯電話機４１が移動する経路とその経路上の各位置を通過する予想時刻とを示す情報を含む予約情報を生成し、携帯電話機４１に送信する。携帯電話機４１は、予約情報を予約機２２に送信する。予約機２２は、受信した予約情報にもとづいてハンドオーバ先の基地局を割り出す。予約機２２は、予約センタサーバ２１を介して、ハンドオーバ先の基地局に、予約情報を送信する。予約情報を受信した基地局は、受信した予約情報にもとづいて、通信リソースを確保する。【選択図】図２
2007306318.tif 000002
【特許請求の範囲】
【請求項１】
携帯電話通信システムが有する通信リソースの使用を予約する通信リソース予約システムにおいて、
携帯電話機が移動する経路と前記経路上の各位置を通過する予想時刻とを示す情報を含む予約情報を生成する情報生成手段を含むナビゲーション情報管理部と、
前記情報生成手段が生成した予約情報にもとづいてハンドオーバ先の基地局を割り出す基地局特定手段、および前記基地局特定手段が割り出した前記基地局に予約情報を送信する情報送信手段を含む予約部と、
前記予約部が送信した前記予約情報にもとづいて通信リソースを確保する通信リソース管理手段を含む基地局とを備え、
前記情報生成手段は、前記携帯電話機の移動に応じた予約情報を定期的に生成する
ことを特徴とする通信リソース予約システム。
【請求項２】
ナビゲーション情報管理部は、車両に搭載されたカーナビゲーション装置に接続され、
情報生成手段は、前記カーナビゲーション装置が生成した情報にもとづいて予約情報を生成する
請求項１記載の通信リソース予約システム。
【請求項３】
予約部は、
予約情報を記憶するデータベースと、
前記データベースが記憶している予約情報、および情報生成手段が生成した予約情報にもとづいて通信リソースの予約が可能であるか否かを判断する判断手段とを含み、
情報送信手段は、前記判断手段が通信リソースの予約が可能であると判断した場合に、基地局特定手段が割り出した基地局に予約情報を送信する
請求項１または請求項２記載の通信リソース予約システム。
【請求項４】
情報生成手段は、通信リソースの予約を追加するのか、変更するのか、または削除するのかを示す識別情報を含む予約情報を生成し、
通信リソース管理手段は、前記識別情報が予約の追加を示している場合に、その識別情報を含む予約情報にもとづいて通信リソースを確保し、前記識別情報が予約の変更を示している場合に、その識別情報を含む予約情報にもとづいて通信リソースを確保し、前記識別情報が予約の削除を示している場合に、確保していた通信リソースを解放する
請求項１から請求項３のうちいずれか１項記載の通信リソース予約システム。
【請求項５】
情報生成手段は、携帯電話機が使用する通信リソースのサイズ、前記携帯電話機が使用する通信リソースの種類、および前記携帯電話機が通信リソースを使用する時間を示す情報を含む予約情報を生成し、
通信リソース管理手段は、前記情報生成手段が生成した予約情報にもとづいて通信リソースを確保する
請求項１から請求項４のうちいずれか１項記載の通信リソース予約システム。
【請求項６】
携帯電話通信網の基地局が有する通信リソースの使用を予約する通信リソース予約方法において、
携帯電話機が移動する経路と前記経路上の各位置を通過する予想時刻とを示す情報を含む予約情報を生成する情報生成ステップと、
前記情報生成ステップで生成した予約情報にもとづいて、ハンドオーバ先の基地局を割り出す基地局特定ステップと、
前記基地局特定ステップで割り出した前記基地局に予約情報を送信する情報送信ステップと、
前記情報送信ステップで送信した前記予約情報にもとづいて、通信リソースを確保する通信リソース管理ステップとを含み、
前記情報生成ステップで、前記携帯電話機の移動に応じた予約情報を定期的に生成する
ことを特徴とする通信リソース予約方法。
【請求項７】
携帯電話通信網の基地局が有する通信リソースの使用を予約する予約機に搭載される通信リソース予約プログラムであって、
コンピュータに、
携帯電話機が移動する経路と前記経路上の各位置を通過する予想時刻とを示す情報を含む予約情報にもとづいて、ハンドオーバ先の基地局を割り出す基地局特定処理と、
データベースが記憶している予約情報、および新たな通信リソースの予約を示す予約情報にもとづいて、前記新たな通信リソースの予約が可能であるか否かを判断する判断処理と、
前記判断処理で前記新たな通信リソースの予約が可能であると判断した場合に、前記基地局特定処理で割り出した前記基地局の通信リソースを予約するために、前記基地局に予約情報を送信する情報送信処理とを実行させる
ための通信リソース予約プログラム。
【発明の詳細な説明】
【技術分野】
【０００１】
本発明は、無線基地局装置における通信リソースを確保する通信リソース予約システム、通信リソース予約方法、および通信リソース予約プログラムに関し、特に、携帯電話機が移動して無線基地局のサービスエリアから外れるときに、通信を円滑に継続することができる通信リソース予約システム、通信リソース予約方法、および通信リソース予約プログラムに関する。
【背景技術】
【０００２】
携帯電話機は、通信状態で基地局のサービスエリア外に移動する場合、携帯電話通信サービスの提供を継続して受けるために新たな基地局を検索する。そして、新たな基地局の通信リソースを使用して通話状態を継続するハンドオーバが行われる。ハンドオーバが行われた場合に、携帯電話機は新たな基地局（ハンドオーバ先の基地局）との通信を開始する。
【０００３】
特許文献１には、携帯電話機の移動ルートを予測し、予測した移動ルートにもとづいて予め決定した地点でハンドオーバを行う通信端末が記載されている。
【０００４】
しかし、高速移動中に、ハンドオーバ先の基地局が携帯電話機を検出するために要する時間や、携帯電話機がハンドオーバ先の基地局を検出するために要する時間が長いと、通信が不可能な時間が生じる場合がある。また、ハンドオーバ先の基地局の通信リソースの使用状態によっては通信が途切れる場合がある。
【０００５】
携帯電話通信サービスのメリットは、移動中でも通信サービスの提供を継続して受けられることであるので、確実にハンドオーバが行われることが求められている。
【０００６】
そこで、携帯電話機の移動ルートと移動ルートを移動する時刻とを予測し、予測した移動ルートにサービスエリアを有する基地局に、通信リソースの割り当てを予約するシステムが提案されている（例えば、特許文献２参照）。
【０００７】
【特許文献１】特開２００５−２５２６２３号公報（段落００１６〜００７２、図１）
【特許文献２】特開２００４−３０４２９８号公報（段落００３５〜００９５、図１）
【発明の開示】
【発明が解決しようとする課題】
【０００８】
携帯電話機が、自動車に搭乗している操作者に所持されて移動している場合、道路状況の変化等によって、予測した移動ルートと異なるルートで移動したり、予測と異なる所要時間で移動したりすることが考えられる。そのような場合に、通信リソースの割り当ての予約は速やかに変更されることが好ましい。
【０００９】
そこで、本発明は、携帯電話機の移動に応じて、携帯電話通信網の基地局が有する通信リソースの使用を予約する通信リソース予約システム、通信リソース予約方法、および通信リソース予約プログラムを提供することを目的とする。
【課題を解決するための手段】
【００１０】
本発明による通信リソース予約システムは、携帯電話通信システムが有する通信リソースの使用を予約する通信リソース予約システムであって、携帯電話機が移動する経路と経路上の各位置を通過する予想時刻とを示す情報を含む予約情報を生成する情報生成手段を含むナビゲーション情報管理部と、情報生成手段が生成した予約情報にもとづいてハンドオーバ先の基地局を割り出す基地局特定手段、および基地局特定手段が割り出した基地局に予約情報を送信する情報送信手段を含む予約部と、予約部が送信した予約情報にもとづいて通信リソースを確保する通信リソース管理手段を含む基地局とを備え、情報生成手段は、携帯電話機の移動に応じた予約情報を定期的に生成することを特徴とする。
【００１１】
ナビゲーション情報管理部は、車両に搭載されたカーナビゲーション装置に接続され、情報生成手段は、カーナビゲーション装置が生成した情報にもとづいて予約情報を生成してもよい。
【００１２】
予約部は、予約情報を記憶するデータベースと、データベースが記憶している予約情報、および情報生成手段が生成した予約情報にもとづいて通信リソースの予約が可能であるか否かを判断する判断手段とを含み、情報送信手段は、判断手段が通信リソースの予約が可能であると判断した場合に、基地局特定手段が割り出した基地局に予約情報を送信してもよい。
【００１３】
情報生成手段は、通信リソースの予約を追加するのか、変更するのか、または削除するのかを示す識別情報を含む予約情報を生成し、通信リソース管理手段は、識別情報が予約の追加を示している場合に、その識別情報を含む予約情報にもとづいて通信リソースを確保し、識別情報が予約の変更を示している場合に、その識別情報を含む予約情報にもとづいて通信リソースを確保し、識別情報が予約の削除を示している場合に、確保していた通信リソースを解放してもよい。
【００１４】
情報生成手段は、携帯電話機が使用する通信リソースのサイズ、携帯電話機が使用する通信リソースの種類、および携帯電話機が通信リソースを使用する時間を示す情報を含む予約情報を生成し、通信リソース管理手段は、情報生成手段が生成した予約情報にもとづいて通信リソースを確保してもよい。
【００１５】
本発明による通信リソース予約方法は、携帯電話通信網の基地局が有する通信リソースの使用を予約する通信リソース予約方法であって、携帯電話機が移動する経路と経路上の各位置を通過する予想時刻とを示す情報を含む予約情報を生成する情報生成ステップと、情報生成ステップで生成した予約情報にもとづいて、ハンドオーバ先の基地局を割り出す基地局特定ステップと、基地局特定ステップで割り出した基地局に予約情報を送信する情報送信ステップと、情報送信ステップで送信した予約情報にもとづいて、通信リソースを確保する通信リソース管理ステップとを含み、情報生成ステップで、携帯電話機の移動に応じた予約情報を定期的に生成することを特徴とする。
【００１６】
本発明による通信リソース予約プログラムは、携帯電話通信網の基地局が有する通信リソースの使用を予約する予約機に搭載される通信リソース予約プログラムであって、コンピュータに、携帯電話機が移動する経路と経路上の各位置を通過する予想時刻とを示す情報を含む予約情報にもとづいて、ハンドオーバ先の基地局を割り出す基地局特定処理と、データベースが記憶している予約情報、および新たな通信リソースの予約を示す予約情報にもとづいて、新たな通信リソースの予約が可能であるか否かを判断する判断処理と、判断処理で新たな通信リソースの予約が可能であると判断した場合に、基地局特定処理で割り出した基地局の通信リソースを予約するために、基地局に予約情報を送信する情報送信処理とを実行させることを特徴とする。
【発明の効果】
【００１７】
本発明によれば、ハンドオーバ先の基地局の通信リソースを予約するので、携帯電話機が移動する場合に、確実にハンドオーバが行われ、通信を継続することができる。
【００１８】
また、携帯電話機の移動に応じて定期的に予約情報を生成するので、携帯電話機の移動の状況に応じて、ハンドオーバ先の基地局の通信リソースの予約を速やかに変更することができる。
【００１９】
情報生成手段が、カーナビゲーション装置が生成した情報にもとづいて予約情報を生成するように構成されている場合には、携帯電話機が移動する状況の変化に応じて、ハンドオーバ先の基地局の通信リソースを予約することができる。
【００２０】
情報生成手段が、携帯電話機が通信リソースを使用するサイズ、使用する通信リソースの種類、および通信リソースを使用する時間を示す情報を含む予約情報を生成するように構成されている場合には、ハンドオーバ先の基地局において、適切な通信リソースを予約することができる。
【発明を実施するための最良の形態】
【００２１】
本発明の実施の形態について、図面を参照して説明する。図１は、本発明による通信リソース予約システムの実施の形態の構成を示す説明図である。図２は、本発明による通信リソース予約システムの実施の形態の構成を示すブロック図である。
【００２２】
図１および図２に示す通信リソース予約システムは、無線通信回線を介して基地局５０に接続される携帯電話機４１と情報を送受信するナビゲーション情報管理部３２、携帯電話機４１とナビゲーション情報管理部３２との情報の送受信の中継を行うクレードル部３３、携帯電話通信網の基地局５０を介して携帯電話機４１から情報を受信し、各基地局に情報を送信する予約センタサーバ２１、および予約センタサーバ２１に通信回線を介して接続され、通信リソースの予約を行う予約機２２を含む。
【００２３】
図１に示すように、予約センタサーバ２１には、携帯電話通信網の基地局５０〜５５が無線または有線の通信回線を介して接続されている。なお、基地局５０〜５５は、携帯電話通信網の基地局である。また、予約センタサーバ２１および予約機２２は、携帯電話通信サービス事業者に設置されたコンピュータである。
【００２４】
車両３１は、カーナビゲーション装置とナビゲーション情報管理部３２とを搭載し、クレードル部３３を物理的に固定する構造を有する自動車である。
【００２５】
図３は、基地局５３の一構成例を示すブロック図である。図３に示す基地局５３は、携帯電話機による呼の接続要求に応じて通信リソースを確保し、呼の切断要求に応じて通信リソースを解放する通信リソース管理部（通信リソース管理手段）１１１、情報を記憶するデータベース１１２、データベース１１２を管理するデータベース管理部１１３、および携帯電話機と無線通信で情報を送受信し、予約機２２と有線通信または無線通信で情報を送受信する通信部１１４を含む。
【００２６】
データベース管理部１１３は、データベース１１２に情報を記憶させたり、データベース１１２が記憶している情報を変更したり、データベース１１２から情報を消去したりする。
【００２７】
なお、通信リソースとは、携帯電話機と通信を行うためのチャネルをいい、具体的には、例えば、図３に例示した基地局５３における通信部１１４のベースバンド部（図示せず）を構成するＤＳＰ（Ｄｉｇｉｔａｌ  Ｓｉｇｎａｌ  Ｐｒｏｃｅｓｓｏｒ）ブロックで実現される。
【００２８】
図４は、携帯電話機４１の一構成例を示すブロック図である。図４に示す携帯電話機４１は、基地局５０を介して一般的な音声通話およびパケット通信を行う無線通信部４１１と、クレードル部３３を介してナビゲーション情報管理部３２と情報を送受信する情報通信部４１２と、携帯電話機４１の各部を制御する制御部４１３とを含む。
【００２９】
情報通信部４１２は、操作者に選択された移動中に行われる通信の種類を示す情報（以下、通信種類情報という。）と、携帯電話機４１の電話番号を示す情報とをナビゲーション情報管理部３２に送信する。
【００３０】
携帯電話機４１の無線通信部４１１は、クレードル部３３を介してナビゲーション情報管理部３２から情報通信部４１２が受信した情報を、基地局５０を介して予約センタサーバ２１に送信する。
【００３１】
図５は、クレードル部３３の一構成例を示すブロック図である。図５に示すクレードル部３３は、車両３１に物理的に固定される構造を有し、携帯電話機４１とナビゲーション情報管理部３２とを物理的に接続する接続部３３１、および携帯電話機４１とナビゲーション情報管理部３２とのデータの送受信を中継するインタフェース部３３２を含む。
【００３２】
図６は、ナビゲーション情報管理部３２の一構成例を示すブロック図である。図６に示すナビゲーション情報管理部３２は、ナビゲーション情報生成部３２１、パケットデータ生成部３２２、ナビゲーション情報記憶部３２３、情報消去部３２４、情報更新部３２５、および情報送信部３２６を含む。なお、情報生成手段は、ナビゲーション情報生成部３２１、およびパケットデータ生成部３２２によって実現される。
【００３３】
ナビゲーション情報生成部３２１は、携帯電話機４１が移動する経路の出発地、目的地、出発時刻、到着予想時刻、通過ルート、および通過ルート上の途中通過地点の通過予想時刻を示す情報と、通信リソースの予約を追加するのか、変更するのか、または削除するのかを示す識別情報とを含むナビゲーション情報を生成し、ナビゲーション情報記憶部３２３に記憶させる。ナビゲーション情報記憶部３２３は、ナビゲーション情報を記憶する。
【００３４】
なお、道路状況等に応じて、通過予想時刻等が変更されることがある。そこで、ナビゲーション情報生成部３２１は、定期的にナビゲーション情報を生成する。そして、ナビゲーション情報生成部３２１が、変更された通過予想時刻等にもとづいてナビゲーション情報を生成した場合に、情報更新部３２５は、ナビゲーション情報記憶部３２３が記憶しているナビゲーション情報を更新する。
【００３５】
情報消去部３２４は、操作者によって、移動のキャンセルを示す指示がカーナビゲーション装置や携帯電話機４１に入力された場合、または車両３１が目的地に到着した場合に、ナビゲーション情報記憶部３２３からナビゲーション情報を消去する。
【００３６】
パケットデータ生成部３２２は、ナビゲーション情報生成部３２１がナビゲーション情報を生成し、そのナビゲーション情報をナビゲーション情報記憶部３２３に記憶させた場合に、そのナビゲーション情報と、携帯電話機４１の電話番号を示す情報と、通信種類情報とを含む予約情報を生成する。なお、予約情報は１つのパケットデータである。
【００３７】
情報送信部３２６は、パケットデータ生成部３２２が生成した予約情報を、クレードル部３３を介して携帯電話機４１に送信する。
【００３８】
つまり、情報送信部３２６がクレードル部３３を介して携帯電話機４１に送信する予約情報は、ナビゲーション情報と、携帯電話機４１の電話番号を示す情報と、通信種類情報とを含む。
【００３９】
図７は、予約センタサーバ２１の一構成例を示すブロック図である。図７に示す予約センタサーバ２１は、予約機２２および各基地局と有線または無線の通信回線を介して接続され、データ（予約情報）を送受信する情報送受信部２１１を含む。
【００４０】
図８は、予約機２２の一構成例を示すブロック図である。図８に示す予約機２２は、データ送受信部２２１、データベース２２２、データベース管理部２２３、情報生成部（基地局特定手段）２２４、リソース使用時間算出部２２５、および情報送信部（情報送信手段）２２６を含む。
【００４１】
データ送受信部２２１は、予約センタサーバ２１と有線または無線の通信回線を介して接続され、データ（予約情報）を送受信する。データベース２２２は、日本全国の基地局の設置場所を示す情報と、予約情報とを記憶する。データベース管理部２２３は、データベース２２２に予約情報を追加して記憶（保存）させたり、データベース２２２が記憶している予約情報を更新、または消去したりする。
【００４２】
情報生成部２２４は、データベース２２２が記憶している日本全国の基地局の設置場所を示す情報と、予約情報が含むナビゲーション情報が示す携帯電話機４１が搭載されている車両３１の通過ルート等にもとづいて、ハンドオーバが発生する位置とハンドオーバ先の基地局とを割り出す。そして、割り出した基地局が確保すべきリソースサイズ、リソース種類、およびリソース使用時間を示すリソース管理情報を生成する。さらに、情報生成部２２４は、生成したリソース管理情報を含む予約情報を生成する。
【００４３】
なお、リソース種類を示す情報は、予約情報が含む通信種類情報にもとづいて定められる。つまり、リソース種類を示す情報は、移動中に行われる通信の種類を示す。また、リソースサイズとは、例えば、収容ベアラ数や、収容回線数である。
【００４４】
リソース使用時間算出部２２５は、携帯電話機４１が基地局の通信リソースを使用する時間であるリソース使用時間を算出する。
【００４５】
情報送信部２２６は、情報生成部２２４が生成した予約情報を、予約センタサーバ２１を介して、ハンドオーバ先の基地局に送信する。つまり、情報送信部２２６が予約センタサーバ２１を介して、ハンドオーバ先の基地局に送信する予約情報は、ナビゲーション情報と、携帯電話機４１の電話番号を示す情報と、通信種類情報と、リソース管理情報とを含む。
【００４６】
なお、予約機２２は、コンピュータに、携帯電話機が移動する経路とその経路上の各位置を通過する予想時刻とを示す情報を含む予約情報にもとづいて、ハンドオーバ先の基地局を割り出す基地局特定処理と、データベース２２２が記憶している予約情報、および新たな通信リソースの予約を示す予約情報にもとづいて、新たな通信リソースの予約が可能であるか否かを判断する判断処理と、判断処理で新たな通信リソースの予約が可能であると判断した場合に、基地局特定処理で割り出した基地局の通信リソースを予約するために、その基地局に予約情報を送信する情報送信処理とを実行させるための通信リソース予約プログラムを搭載している。
【００４７】
次に、本実施の形態の動作について、図面を参照して説明する。図９は、本実施の形態において、予約を追加する場合の動作を説明するシーケンス図である。
【００４８】
携帯電話機４１は、カーナビゲーション装置が搭載された車両３１で移動中に携帯電話通信サービスを連続的に使用する操作者によって、車両３１に固定されているクレードル部３３の接続部３３１に接続される（ステップＳ１０１）。なお、本明細書において、車両３１に搭乗している操作者に所持されている携帯電話機４１を、車両３１に搭載されている携帯電話機４１と記すこともある。
【００４９】
携帯電話機４１の制御部４１３は、クレードル部３３を介してナビゲーション情報管理部３２に接続されたタイミングで、携帯電話機４１の操作者に移動中に行う通信の種類を選択させる。具体的には、音声通信を行うのか、パケット通信を行うのか、または画像データの送受信を行うのかを選択させる。携帯電話機４１の情報通信部４１２は、クレードル部３３に、操作者が選択した移動中に行う通信の種類を示す情報である通信種類情報と、携帯電話機４１の電話番号を示す情報とを送信する（ステップＳ１０２）。クレードル部３３のインタフェース部３３２は、携帯電話機４１から受信した通信種類情報と、携帯電話機４１の電話番号を示す情報とをナビゲーション情報管理部３２に送信する（ステップＳ１０３）。
【００５０】
操作者によって、車両３１に搭載されているカーナビゲーション装置への移動先の情報の登録が完了した場合に、ナビゲーション情報管理部３２のナビゲーション情報生成部３２１は、カーナビゲーション装置が、例えば、ルート検索機能を発揮して検索または登録した情報にもとづいて、通信リソースの予約を追加することを示す識別情報を含むナビゲーション情報を生成し、ナビゲーション情報記憶部３２３に記憶させる（ステップＳ１０４）。
【００５１】
パケットデータ生成部３２２は、ナビゲーション情報生成部３２１が生成したナビゲーション情報と、携帯電話機４１の電話番号を示す情報と、通信種類情報とを含む予約情報を生成する（ステップＳ１０５）。情報送信部３２６は、予約情報をクレードル部３３を介して携帯電話機４１に送信する（ステップＳ１０６）。
【００５２】
クレードル部３３のインタフェース部３３２は、ナビゲーション情報管理部３２の情報送信部３２６が送信した予約情報を携帯電話機４１に送信する（ステップＳ１０７）。携帯電話機４１の情報通信部４１２は、予約情報を受信する。そして、無線通信部４１１は、携帯電話通信網の基地局５０を介して、予約センタサーバ２１にその予約情報を送信する（ステップＳ１０８）。
【００５３】
携帯電話機４１から携帯電話通信網の基地局５０を介して予約情報を受信した予約センタサーバ２１の情報送受信部２１１は、受信した予約情報を予約機２２に送信する（ステップＳ１０９）。
【００５４】
予約機２２のデータ送受信部２２１は、予約センタサーバ２１の情報送受信部２１１が送信した予約情報を受信する。そして、データベース管理部２２３は、予約情報のナビゲーション情報が含む識別情報を確認し、識別情報が通信リソースの予約を追加することを示している場合には、情報生成部２２４およびリソース時間算出部２２５はリソース予約処理を開始する（ステップＳ１１０）。なお、本例では、識別情報は通信リソースの予約を追加することを示している。
【００５５】
リソース予約処理について図面を参照して説明する。図１０は、リソース予約処理を説明するフローチャートである。まず、情報生成部２２４が、予約情報が含むナビゲーション情報が含む情報であって、携帯電話機４１を搭載する車両３１が通過する位置（通過ルート）および時刻（通過予想時刻）を示す情報と、データベース２２２が記憶している日本全国の基地局の設置場所を示す情報とにもとづいて、ハンドオーバが発生する位置とハンドオーバ先の基地局とを割り出す（ステップＳ４０１）。本例では、ハンドオーバ先の基地局は基地局５３であるとする。
【００５６】
次に、リソース使用時間算出部２２５が、携帯電話機４１が搭載されている車両３１が、基地局５３のサービスエリアに入る時刻と出る時刻とを予想し、各予想時刻とハンドオーバ処理に必要な処理時間とにもとづいてリソース使用時間を算出する（ステップＳ４０２）。
【００５７】
情報生成部２２４は、リソース使用時間２２５が算出したリソース使用時間と、通信種類情報が示すリソース種類と、ハンドオーバ先の基地局５３が確保すべきリソースサイズとを示すリソース管理情報を生成する（ステップＳ４０３）。
【００５８】
そして、情報生成部２２４は、データベース２２２が記憶している予約情報を参照して、基地局５３の通信リソースの予約状態を確認し、通信リソースの予約が可能か否かを判断する（ステップＳ４０４）。具体的には、情報生成部２２４は、生成したリソース管理情報と、データベース２２２が記憶している予約情報が含むリソース管理情報とにもとづいて、携帯電話機４１が基地局５３の通信リソースの予約が可能か否かを判断する。そして、予約可能であると判断した場合に（ステップＳ４０４のＹ）、情報生成部２２４は、生成したリソース管理情報を含む予約情報を生成する（ステップＳ４０５）。
【００５９】
データベース管理部２２３は、情報生成部２２４が生成した予約情報をデータベース２２２に記憶させる。情報送信部２２６は、予約センタサーバ２１を介して、ハンドオーバ先の基地局５３に情報生成部２２４が生成した予約情報を送信する（図９のステップＳ１１１、図１０のステップＳ４０６）。
【００６０】
なお、情報送信部２２６は、情報生成部２２４が通信リソースの予約が不可能であると判断した場合に、予約センタサーバ２１を介して携帯電話機４１に、通信リソースの予約が不可能であることを示す情報を送信してもよい。
【００６１】
予約情報を受信した基地局５３は予約センタサーバ２１を介して予約機２２から受信した予約情報の内容を確認する。具体的には、データベース管理部１１３が、受信した予約情報のナビゲーション情報が含む識別情報を参照して、通信リソースの予約を追加するのか、通信リソースの予約を変更するのか、または通信リソースの予約を削除するのかを判断する。本例では、識別情報は通信リソースの予約を追加することを示している。
【００６２】
データベース管理部１１３は、受信した予約情報のナビゲーション情報が含む識別情報が通信リソースの予約を追加することを示していると判断した場合に、受信した予約情報をデータベース１１２に記憶させる。そして、通信リソース管理部１１１が、予約情報が含むリソース管理情報にもとづいて予約開始時刻に必要な通信リソースを予め確保する（ステップＳ１１２）。
【００６３】
また、通信リソース管理部１１１は、予約終了時刻に、確保していた通信リソースを解放する。そして、データベース管理部１１３は、データベース１１２から、その予約を示す予約情報を消去する。
【００６４】
次に、予約を変更する場合について説明する。図１１は、本実施の形態において、予約を変更する場合の動作を説明するシーケンス図である。
【００６５】
通信リソースの予約が行われた後、ナビゲーション情報生成部３２１は、定期的にナビゲーション情報を生成する。また、車両３１に搭載されているカーカーナビゲーション装置は、車両３１の走行状況（車両３１の移動速度や、目的地までの距離）にもとづいて到着予想時刻等を変更する。そして、車両３１に搭載されているカーナビゲーション装置が、車両３１の走行状況の変化に応じて到着予想時刻、通過ルート情報、または通過ルート上の途中通過地点の通過予想時刻を変更した場合に、ナビゲーション情報生成部３２１は、その変更に応じたナビゲーション情報であって、通信リソースの予約を変更することを示す識別情報を含むナビゲーション情報を生成し、ナビゲーション情報記憶部３２３に記憶させる（ステップＳ２０１）。
【００６６】
パケットデータ生成部３２２は、ナビゲーション情報生成部３２１が生成したナビゲーション情報と、携帯電話機４１の電話番号を示す情報と、通信種類情報とを含む予約情報を生成する（ステップＳ２０２）。情報送信部３２６は、予約情報をクレードル部３３を介して携帯電話機４１に送信する（ステップＳ２０３）。
【００６７】
クレードル部３３のインタフェース部３３２は、ナビゲーション情報管理部３２の情報送信部３２６が送信した予約情報を携帯電話機４１に送信する（ステップＳ２０４）。携帯電話機４１の情報通信部４１２は、予約情報を受信する。そして、無線通信部４１１は、携帯電話通信網の基地局５０を介して、予約センタサーバ２１にその予約情報を送信する（ステップＳ２０５）。
【００６８】
携帯電話機４１から携帯電話通信網の基地局５０を介して予約情報を受信した予約センタサーバ２１の情報送受信部２１１は、受信した予約情報を予約機２２に送信する（ステップＳ２０６）。
【００６９】
予約機２２のデータ送受信部２２１は、予約センタサーバ２１の情報送受信部２１１が送信した予約情報を受信する。そして、データベース管理部２２３は、予約情報のナビゲーション情報が含む識別情報を確認し、識別情報が通信リソースの予約を変更することを示している場合には、情報生成部２２４およびリソース時間算出部２２５は、予約情報にもとづいて、前述したリソース予約処理を開始する（ステップＳ２０７）。なお、本例では、識別情報は通信リソースの予約を変更することを示している。
【００７０】
リソース予約処理において、情報生成部２２４は、予約情報にもとづいてリソース管理情報を生成し、予約可能であると判断した場合に、生成したリソース管理情報を含む予約情報を生成する。
【００７１】
データベース管理部２２３は、情報生成部２２４が生成した予約情報をデータベース２２２に記憶させる。なお、データベース管理部２２３は、予約情報が含む携帯電話機４１の電話番号を示す情報にもとづいて変更前の予約情報を特定し、その予約情報をデータベース２２２から消去してもよい。情報送信部２２６は、予約センタサーバ２１を介して、ハンドオーバ先の基地局５３に情報生成部２２４が生成した予約情報を送信する（ステップＳ２０８）。
【００７２】
予約情報を受信した基地局５３は予約センタサーバ２１を介して予約機２２から受信した予約情報の内容を確認する。具体的には、データベース管理部１１３が、受信した予約情報のナビゲーション情報が含む識別情報を参照して、通信リソースの予約を追加するのか、通信リソースの予約を変更するのか、または通信リソースの予約を削除するのかを判断する。本例では、識別情報は通信リソースの予約を変更することを示している。
【００７３】
データベース管理部１１３は、受信した予約情報のナビゲーション情報が含む識別情報が通信リソースの予約を変更することを示していると判断した場合に、受信した予約情報をデータベース１１２に記憶させる。そして、通信リソース管理部１１１が、予約開始時刻に必要な通信リソースを予め確保する（ステップＳ２０９）。なお、データベース管理部１１３は、予約情報が含む携帯電話機４１の電話番号を示す情報にもとづいて変更前の予約情報を特定し、その予約情報をデータベース１１２から消去してもよい。
【００７４】
通信リソース管理部１１１は、予約終了時刻に、確保していた通信リソースを解放する。そして、データベース管理部１１３は、データベース１１２から、その予約を示す予約情報を消去する。
【００７５】
次に、予約を削除する場合について説明する。図１２は、本実施の形態において、予約を削除する場合の動作を説明するシーケンス図である。
【００７６】
操作者が、カーナビゲーション装置にキャンセル指示を行った場合、および車両３１が到着地点に到着してナビゲーション処理が終了した場合に、ナビゲーション情報生成部３２１は、予約が終了したこと（予約のための処理を終了すべきこと）を認識する（ステップＳ３０１）。
【００７７】
そして、ナビゲーション情報生成部３２１は、通信リソースの予約を削除することを示す識別情報を含むナビゲーション情報を生成し（ステップＳ３０２）、ナビゲーション情報記憶部３２３が記憶しているナビゲーション情報を消去する。
【００７８】
パケットデータ生成部３２２は、ナビゲーション情報生成部３２１が生成したナビゲーション情報と、携帯電話機４１の電話番号を示す情報と、通信種類情報とを含む予約情報を生成する（ステップＳ３０３）。情報送信部３２６は、予約情報をクレードル部３３を介して携帯電話機４１に送信する（ステップＳ３０４）。
【００７９】
クレードル部３３のインタフェース部３３２は、ナビゲーション情報管理部３２の情報送信部３２６が送信した予約情報を携帯電話機４１に送信する（ステップＳ３０５）。携帯電話機４１の情報通信部４１２は、予約情報を受信する。そして、無線通信部４１１は、携帯電話通信網の基地局５０を介して、予約センタサーバ２１にその予約情報を送信する（ステップＳ３０６）。
【００８０】
携帯電話機４１から携帯電話通信網の基地局５０を介して予約情報を受信した予約センタサーバ２１の情報送受信部２１１は、受信した予約情報を予約機２２に送信する（ステップＳ３０７）。
【００８１】
予約機２２のデータ送受信部２２１は、予約センタサーバ２１の情報送受信部２１１が送信した予約情報を受信する。そして、データベース管理部２２３は、予約情報のナビゲーション情報が含む識別情報を確認し、識別情報が通信リソースの予約を削除することを示している場合には、予約情報が含む携帯電話機４１の電話番号を示す情報にもとづいて、対応する予約情報をデータベース２２２から読み出す。
【００８２】
情報生成部２２４は、解放すべき通信リソースを示すリソース管理情報を含む予約情報を生成する。なお、解放すべき通信リソースを示すリソース管理情報を含む予約情報は、データベース管理部２２３がデータベース２２２から読み出した予約情報が含むリソース管理情報にもとづいて生成される。
【００８３】
そして、情報送信部２２６は、予約センタサーバ２１を介して、ハンドオーバ先の基地局５３に情報生成部２２４が生成した予約情報を送信する（ステップＳ３０８）。また、データベース管理部２２３は、データ送受信部２２１が受信した予約情報が含む携帯電話機４１の電話番号を示す情報にもとづいて、対応する予約情報をデータベース２２２から消去する。
【００８４】
予約情報を受信した基地局５３は予約センタサーバ２１を介して予約機２２から受信した予約情報の内容を確認する。具体的には、データベース管理部１１３が、受信した予約情報のナビゲーション情報が含む識別情報を参照して、通信リソースの予約を追加するのか、通信リソースの予約を変更するのか、または通信リソースの予約を削除するのかを判断する。本例では、識別情報は通信リソースの予約を削除することを示している。
【００８５】
データベース管理部１１３が、受信した予約情報のナビゲーション情報が含む識別情報が通信リソースの予約を削除することを示していると判断した場合に、通信リソース管理部１１１は、確保していた通信リソースを解放する（ステップＳ３０９）。そして、データベース管理部１１３は、受信した予約情報が含む携帯電話機４１の電話番号を示す情報にもとづいて、対応する予約情報をデータベース２２２から消去する。
【００８６】
本実施の形態によれば、基地局が有する携帯電話通信に必要な通信リソースを予め予約するので、携帯電話機４１の移動によるハンドオーバが発生した場合に、ハンドオーバ先の基地局の検索処理の負荷を軽減することができる。
【００８７】
また、携帯電話機４１は、確実にハンドオーバ先の基地局の通信リソースを使用できるので、通信が途切れることを防止することができる。
【００８８】
また、ナビゲーション情報生成部３２１が、カーナビゲーション装置がルート検索機能等を発揮して検索または登録した情報にもとづくナビゲーション情報を定期的に生成するので、車両３１の走行状況に応じてハンドオーバ先の基地局の通信リソースの予約を速やかに変更することができる。
【００８９】
また、予約情報が携帯電話機４１の電話番号を示す情報を含むように構成されているので、予約機２２のデータベース管理部２２３は、データベース２２２が記憶している予約情報を容易に管理することができる。同様に、基地局５３のデータベース管理部１１３は、データベース１１２が記憶している予約情報を容易に管理することができる。
【００９０】
また、予約情報が通信種類情報にもとづくリソース管理情報を含むように構成されているので、基地局５３において、適切な通信リソース（すなわち、携帯電話機４１が実際に使用する通信リソース）を予約することができる。そのため、過剰に通信リソースを予約したり、不十分な通信リソースを予約したりすることを防ぐことができる。
【産業上の利用可能性】
【００９１】
本発明は、携帯電話機が移動して無線基地局のサービスエリアから外れるときに、通信を円滑に継続することができる携帯電話通信システムに適用することができる。
【図面の簡単な説明】
【００９２】
【図１】通信リソース予約システムの実施の形態を示す説明図である。
【図２】通信リソース予約システムの実施の形態の構成を示すブロック図である。
【図３】基地局の一構成例を示すブロック図である。
【図４】携帯電話機の一構成例を示すブロック図である。
【図５】クレードル部の一構成例を示すブロック図である。
【図６】ナビゲーション情報管理部の一構成例を示すブロック図である。
【図７】予約センタサーバの一構成例を示すブロック図である。
【図８】予約機の一構成例を示すブロック図である。
【図９】予約を追加する場合の動作を説明するシーケンス図である。
【図１０】リソース予約処理を説明するフローチャートである。
【図１１】予約を変更する場合の動作を説明するシーケンス図である。
【図１２】予約を削除する場合の動作を説明するシーケンス図である。
【符号の説明】
【００９３】
２１  予約センタサーバ
２２  予約機
３１  車両
３２  ナビゲーション情報管理部
３３  クレードル部
４１  携帯電話機
５０〜５５  基地局
１１１  通信リソース管理部
１１２，２２２  データベース
１１３，２２３  データベース管理部
１１４  通信部
２１１  情報送受信部
２２１  データ送受信部
２２４  情報生成部
２２５  リソース使用時間算出部
２２６，３２６  情報送信部
３２１  ナビゲーション情報生成部
３２２  パケットデータ生成部
３２３  ナビゲーション情報記憶部
３２４  情報消去部
３２５  情報更新部
３３１  接続部
３３２  インタフェース部
４１１  無線通信部
４１２  情報通信部
４１３  制御部
【図１】
2007306318.tif 000003
【図２】
2007306318.tif 000004
【図３】
2007306318.tif 000005
【図４】
2007306318.tif 000006
【図５】
2007306318.tif 000007
【図６】
2007306318.tif 000008
【図７】
2007306318.tif 000009
【図８】
2007306318.tif 000010
【図９】
2007306318.tif 000011
【図１０】
2007306318.tif 000012
【図１１】
2007306318.tif 000013
【図１２】
2007306318.tif 000014